(57)【要約】【課題】本発明は、効果的に薄形化できる電子機器を得ることにある。【解決手段】ポータブルコンピュータ１０は、第１の筐体２１と、第２の筐体５１と、ファン装置３０とを備える。第１の筐体２１は、ファン収容部２６を有するとともに、ＣＰＵ２４を収容する。第２の筐体５１は、ファン収容部２６と回動可能に連結される。ファン装置３０は、ファン収容部２６に収容され、第１の筐体２１内に送風する。ファン装置３０は、第１の筐体２１および第２の筐体５１の幅方向Ｂに延びるとともに、同心円Ｈ状に配置される複数の羽根３１ｂを有し、この複数の羽根３１ｂの回転軸Ｇ方向から吸気し、回転軸Ｇを横切る方向に吐出する。【選択図】      図４
2006156786.tif 000002
【特許請求の範囲】
【請求項１】
第１の取付部を有するとともに、発熱体を収容する第１の筐体と、
前記第１の取付部に回動可能に連結される第２の筐体と、
前記第１の取付部に収容され、前記第１の筐体内に送風するファン装置と、
を具備し、
前記ファン装置は、
前記第１の筐体および前記第２の筐体の幅方向に延びるとともに同心円状に配置される複数の羽根を有し、この複数の羽根の回転軸方向から吸気し、前記回転軸を横切る方向に吐出することを特徴とする電子機器。
【請求項２】
請求項１の記載において、
前記第２の筐体は、前記第１の筐体に連結された際、前記第１の取付部と対向する第２の取付部を有し、
前記第１の取付部は、前記第２の取付部と対向する面に形成される開口部を有し、
前記ファン装置は、前記開口部を介して外部の空気を吸気することを特徴とする電子機器。
【請求項３】
請求項１の記載において、
前記第１の筐体は、吸気口と、この吸気口から前記ファン装置へ外部の空気をガイドするガイド部とを有することを特徴とする電子機器。
【請求項４】
請求項３の記載において、
前記吸気口は、前記第１の筐体の後壁、底壁、または側壁に設けられることを特徴とする電子機器。
【請求項５】
請求項１の記載において、
前記第２の筐体は、前記第１の筐体に連結された際、前記第１の取付部と対向するとともに、前記第１の取付部の側面と対向する面とは反対側の面に吸気口が設けられた第２の取付部を有することを特徴とする電子機器。
【請求項６】
請求項５の記載において、
前記第１の取付部と前記第２の取付部とに亘って設けられ、前記吸気口から吸気された空気を前記ファン装置に向かってガイドするガイド部材が設けられることを特徴とする電子機器。
【請求項７】
請求項６の記載において、
前記吸気口は、前記ガイド部材に設けられることを特徴とする電子機器。
【発明の詳細な説明】
【技術分野】
【０００１】
本発明は、ノート型コンピュータ等の電気機器に係り、特にファン装置を内蔵した電気機器に関する。
【背景技術】
【０００２】
例えば、電子機器としてのポータブルコンピュータに用いられる発熱体、例えばＣＰＵの発熱量は、ＣＰＵ自体の処理速度の高速化や多機能化に伴い、増加している。ＣＰＵは、温度が高くなり過ぎると、効率的な動作が失われたり、動作不能に陥ることが考えられる。
【０００３】
このため、従来、ポータブルコンピュータは、放熱対策として、ＣＰＵなどの発熱体に空気を送風するファン装置を備えている。ＣＰＵなどの発熱体は、ファン装置によって送風された空気によって、熱が奪われる。これにより、ＣＰＵなどの発熱体は、放熱され、冷却される。ファン装置は、従来、外観が扁平な略直方体状である、遠心ファンが採用されている。
【０００４】
この種の電子機器、例えばポータブルコンピュータは、第１の筐体を備える例えばコンピュータ本体と、第２の筐体を備える例えばディスプレイユニットとを備えている。そして、コンピュータ本体とディスプレイユニットとは、互いを回動可能に連結されている。
【０００５】
これにより、ディスプレイユニットは、コンピュータ本体の上に横たわる閉じ位置と、コンピュータ本体に対して起立する開位置との間で回動可能となるように、コンピュータ本体に支持されている。ディスプレイユニットが閉じ位置にある状態では、ディスプレイユニットとコンピュータ本体とは、折り畳まれた状態になる。
【０００６】
この種の連結構造では、ディスプレイユニットは、コンピュータ本体の基部に、例えばヒンジ軸などによって支持されている。コンピュータ本体の上にディスプレイユニットが横たわるので、コンピュータ本体の基部をコンピュータ本体の厚みよりも厚くすることができる。それゆえ、比較的大きなファン装置を、コンピュータ本体の基部内に収容することがある（例えば、特許文献１参照。）。
【特許文献１】実開平５−２５５２２号公報
【発明の開示】
【発明が解決しようとする課題】
【０００７】
一方、ポータブルコンピュータは、薄形化されることが切望されている。ポータブルコンピュータの薄型化に伴って、コンピュータ本体の基部も小さくなる。
【０００８】
しかし、特許文献１に開示されているように、コンピュータ本体の基部内にファン装置が収容されていると、コンピュータ本体の基部の大きさ、形状は、ファン装置の大きさ、形状に左右されることになる。
【０００９】
特に、ファン装置の外観が扁平な略直方体状であると、コンピュータ本体の基部を薄形化、小型化することは、難しくなると考えられる。それゆえ、ポータブルコンピュータの薄形化も、難しくなると考えられる。さらに、このファン装置を、ファン装置が充分機能する大きさに維持すると、ポータブルコンピュータの薄形化は、一層難しくなることが考えられる。
【００１０】
本発明は、このような事情に基づいてなされたもので、効果的に薄形化できる電子機器を得ることにある。
【課題を解決するための手段】
【００１１】
本発明の電子機器は、第１の取付部を有するとともに、発熱体を収容する第１の筐体と、前記第１の取付部に回動可能に連結される第２の筐体と、前記第１の取付部に収容され、前記第１の筐体内に送風するファン装置と、を具備し、前記ファン装置は、前記第１の筐体および前記第２の筐体の幅方向に延びるとともに同心円状に配置される複数の羽根を有し、この複数の羽根の回転軸方向から吸気し、前記回転軸を横切る方向に吐出することを特徴とする。
【発明の効果】
【００１２】
本発明によれば、電子機器を効果的に薄形化することができる。
【発明を実施するための最良の形態】
【００１３】
本発明の第１の実施形態を、図１から図７に基づいて説明する。
【００１４】
図１は、電子機器としてのポータブルコンピュータ１０を開示している。図１に示すように、ポータブルコンピュータ１０は、コンピュータ本体２０と、表示ユニット５０とを備えている。
【００１５】
コンピュータ本体２０は、第１の筐体２１を備えている。第１の筐体２１は、略扁平な箱状である。第１の筐体２１は、底壁２１ａと上壁２１ｂと前壁２１ｃと後壁２１ｄと左側壁２１ｅと右側壁２１ｆとを有している。
【００１６】
上壁２１ｂは、キーボード２２を支持している。前壁２１ｃと左側壁２１ｅと右側壁２１ｆと後壁２１ｄとは、第１の筐体２１の周方向に沿う周壁を構成している。
【００１７】
図２は、図１に示されたＦ２−Ｆ２線に沿って示す断面図である。図２に示すように、第１の筐体２１の内部には、プリント板２３が収容されている。プリント板２３は、例えば、第１の筐体２１の底壁２１ａと略平行に配置されている。
【００１８】
プリント板２３の下面には、発熱体としての例えばＣＰＵ２４が取り付けられている。ＣＰＵ２４には、放熱板２５取り付けられている。放熱板２５とＣＰＵ２４とは、互いに熱的に接続されている。
【００１９】
図１に示すように、第１の筐体２１の後部略中央には、第１の取付部としてのファン収容部２６が形成されている。ファン収容部２６は、第１の筐体２１と一体に形成されている。図２に示すように、第１の筐体２１の上壁２１ｂの後部略中央は、上方に略円上に盛り上がっている。
【００２０】
これにより、上壁２１ｂの後部略中央と底壁２１ａとによって規定される空間が、ファン収容部２６になっている。ファン収容部２６の高さは、他の部位において上壁２１ｂと底壁２１ａとの間に規定される空間よりも高くなっている。
【００２１】
図１に示すように、ファン収容部２６内には、ファン装置３０とバッテリ４０とが収容されている。図３に示すように、ファン装置３０は、羽根車３１と、ハウジング３２と、駆動部３３とを備えている。
【００２２】
羽根車３１は、基部３１ａと、複数の羽根３１ｂとを備えている。基部３１ａは、略円筒状である。各羽根３１ｂは、基部３１ａに設けられている。具体的に説明すると、図２に示すように、各羽根３１ｂの一端は、基部３１ａの一端面上において、同一円周（図中２点鎖線で示される仮想円Ｈ）状に固定されている。そして、図３に示すように、各羽根３１ｂは、基部３１ａの軸線方向に延びている。
【００２３】
各羽根３１ｂにおいて、基部３１ａに対して反対端は、支持部材３１ｃによって支持されている。支持部材３１ｃは、例えば略Ｏ字状であって、各羽根３１ｂの一端を支持している。羽根車３１は、前記構造により、外観が略円筒状である。
【００２４】
ハウジング３２は、一端が閉塞された略円筒状である。ハウジング３２は、内側に羽根車３１を収容する。ハウジング３２の側壁の一部には、吐出口３２ａが形成されている。吐出口３２ａは、ハウジング３２の内側と外側とを連通している。吐出口３２ａは、ハウジング３２の開口端３２ｂから閉塞端３２ｃに向かって延びている。吐出口３２ａの形状は、例えば矩形である。
【００２５】
駆動部３３には、回転軸３３ａが設けられている。回転軸３３ａは、駆動部３３が駆動することによって、回転する。
【００２６】
ハウジング３２の閉塞端３２ｃには、駆動部３３の回転軸３３ａが通る連通孔３２ｄが形成されている。羽根車３１の基部３１ａにおいて、各羽根３１ｂが固定される端面の反対側の端面には、基部３１ａと同軸に嵌合部３１ｄが形成されている。嵌合部３１ｄには、駆動部３３の回転軸３３ａが嵌る。
【００２７】
羽根車３１は、基部３１ａ側からハウジング３２内に収容される。駆動部３３の回転軸３３ａは、ハウジング３２の連通孔３２ｄを通される。これにより、回転軸３３ａは、連通孔３２ｄを通って、羽根車３１の嵌合部３１ｄに嵌合する。それゆえ、駆動部３３が駆動すると、羽根車３１が回転するようになる。羽根車３１の回転軸Ｇは、回転軸３３ａと同方向である。
【００２８】
羽根車３１が回転することによって、例えば周囲の空気が、開口端３２ｂからハウジング内３２に吸気される。吸気された空気は、各羽根３１ｂによって、羽根車３１の周方向に押し出される。このとき、羽根車３１の周方向に押し出された空気は、吐出口３２ａから吐出される。なお、吐出口３２ａから第１の筐体２１内へ向かう方向（冷却風Ｆの進む方向）は、羽根車３１の回転軸を横切る方向である。
【００２９】
それゆえ、各羽根３１ｂの形状とハウジング３２の形状とに工夫が施されている。この工夫点について説明する。各羽根３１ｂの断面形状は、図２に示すように、羽根車３１の回転方向（図中に矢印Ａで示す方向）に対して凹状である。このため、各羽根３１ｂは、この凹みの内側に吸気した空気を溜めることによって、効果的に周方向に空気を押し出す。
【００３０】
ハウジング３２において、羽根車３１の回転方向に吐出口３２ａに連なる部分は、直線状のガイド部３２ｅになっている。ガイド部３２ｅによって、円周方向に押し出された空気は、吐出口３２ａに導かれる。吐出口３２ａに導かれた空気は、冷却風Ｆとして吐出される。
【００３１】
前記のように構成されるファン装置３０は、羽根車３１の回転軸Ｇの軸線方向に各羽根３１ｂを延ばすことによって、冷却風Ｆの吐出量が増加する。つまり、空気の吸気量が増加する。このため、羽根車３１を径方向に小型化しても、羽根車３１を回転軸Ｇ方向に延ばすことによって（各羽根３１ｂを回転軸Ｇの軸線方向に伸ばすことによって）、ファン装置３０の機能は、十分に保たれる。
【００３２】
図４は、図１に一点鎖線で示されるＦ４で囲まれた範囲を拡大して示している。図４に示すように、前記のように構成されるファン装置３０は、ファン収容部２６において、例えば、幅方向左端部に収容されている。なお、幅方向Ｂとは、第１の筐体２１の左側壁２１ｅから右側壁２１ｆへ向かう方向、または、右側壁２１ｆから左側壁２１ｅへ向かう方向である。
【００３３】
ファン装置３０の配置について、具体的に説明する。ファン装置３０は、ファン収容部２６の左端部において、ハウジング３２の開口端３２ｂがファン収容部２６の左端壁２６ａに対向し、かつ吐出口３２ａが第１の筐体２１の内側に向かう姿勢で配置されている。このとき、羽根車３１の回転軸Ｇは、例えば幅方向Ｂに沿っている。
【００３４】
これにより、吐出口３２ａから吐出された冷却風Ｆは、第１の筐体２１の内部に送風される。それゆえ、冷却風Ｆは、ＣＰＵ２４などの発熱体や放熱板２５に送られる。例えば、ＣＰＵ２４などの発熱体は、冷却風Ｆが効果的に送風される位置に配置されることが好ましい。または、図２に示すように、吐出口３２ａの高さは、ＣＰＵ２４と同じ高さにあることが好ましい。
【００３５】
駆動部３３は、例えば図示しない電源部に接続されている。駆動部３３は、例えばポータブルコンピュータ１０の電源投入時、あるいはＣＰＵ２４などの発熱体の温度が予め決められた値に達したときに、駆動する。
【００３６】
図６は、図１に示されたＦ６−Ｆ６線に沿って示す断面図である。図６に示すように、ファン収容部２６の左端壁２６ａには、ファン装置３０のハウジング３２と同軸上に、第１の貫通孔２６ｂが形成されている。第１の貫通孔２６ｂは、例えばハウジング３２の開口端３２ｂと略同じ大きさを有している。第１の貫通孔２６ｂは、ファン収容部２６の内側と外側とを連通している。ポータブルコンピュータ１０の周囲の空気は、第１の貫通孔２６ｂを通して、ファン装置３０に吸気される。
【００３７】
図５は、ポータブルコンピュータ１０を後ろ側から見た斜視図である。図５に示すように、バッテリ４０は、幅方向Ｂに延びる略円筒状である。バッテリ４０は、ファン収容部２６の右端部からファン装置３０が収容される部位までの空間に収容される。バッテリ４０は、例えば、ポータブルコンピュータ１０の後側から着脱される。
【００３８】
図１に示すように、表示ユニット５０は、第２の筐体５１と液晶表示パネル５２とを備えている。液晶表示パネル５２は、第２の筐体５１に収容されている。液晶表示パネル５２は、画像を表示するスクリーン５２ａを有している。スクリーン５２ａは、第２の筐体５１の前面に形成された開口部５１ａを通じて第２の筐体５１の外方に露出している。
【００３９】
第２の筐体５１は、コンピュータ本体２０の上に横たわる閉じ位置と、キーボード２２やスクリーン５２ａが露出されるようにコンピュータ本体２０に対して起立する開位置との間で回動可能となるように、軸５３によって、第１の筐体２１のファン収容部２６に連結されている。第２の筐体５１の幅方向は、第１の筐体２１の幅方向Ｂと同一方向である。
【００４０】
第１の筐体２１と第２の筐体５１との連結構造を具体的に説明する。第２の筐体５１には、連結部５４が設けられている。連結部５４は、第２の筐体５１において、幅方向Ｂにファン収容部２６の右端部と対向する部位に形成されている。つまり、連結部５４とファン収容部２６とは、幅方向Ｂに重なる。
【００４１】
軸５３は、２点鎖線で示すように、幅方向Ｂに第１の貫通孔２６ｂと同軸になるように、連結部５４とファン収容部２６とを通っている。それゆえ、第２の筐体５１は、第１の筐体２１に対して、軸５３回りに回動可能となる。
【００４２】
なお、幅方向Ｂを横切る連結部５４の断面は、略円である。それゆえ、第２の筐体５１が第１の筐体２１に対して回動しても、その回動は、滑らかである。また、図２に２点鎖線で、第２の筐体５１が閉じた位置にある状態を示している。このように、ファン収容部２６の高さが、閉じた位置にある第２の筐体５１を越えないことによって、第２の筐体５１が閉じた位置にある状態において、ファン収容部２６は、出っ張ることがない。
【００４３】
また、図１に示すように、第２の筐体５１には、第２の取付部としての対向部５５が設けられている。対向部５５は、第２の筐体５１において、ファン収容部２６を挟んで連結部５４と反対側に設けられている。それゆえ、対向部５５は、幅方向Ｂにファン収容部２６の左端部と対向する。
【００４４】
図６に示すように、対向部５５の左端壁５５ａには、ファン収容部２６の左端壁２６ａに形成された第１の貫通孔２６ｂと同軸に第２の貫通孔５５ｂが形成されている。対向部５５の右端壁５５ｃには、第１の貫通孔２６ｂと同軸に第３の貫通孔５５ｄが形成されている。
【００４５】
第２の貫通孔５５ｂと第３の貫通孔５５ｄとは、略同じ大きさの円状である。対向部５５は、第１の貫通孔２６ｂと第２の貫通孔５５ｂとによって、幅方向Ｂに貫通している。第１の貫通孔２６ｂは、第２の貫通孔５５ｂおよび第３の貫通孔５５ｄより、例えば若干大きい。
【００４６】
ファン装置３０が駆動すると、第２の貫通孔５５ｂを通して空気が吸気される。このとき、対向部５５において、第２の貫通孔５５ｂから第３の貫通孔５５ｄまでの部分は、ファン収容部２６内に空気を導くガイド部５６となる。
【００４７】
図７は、図６に示されたＦ７−Ｆ７線に沿って示される断面図である。図６と図７とに示すように、ガイド部５６の内側には、ガイド部材５７が収容されている。ガイド部材５７は、幅方向Ｂに延びる円筒状である。ガイド部材５７は、第２の貫通孔５５ｂと第３の貫通孔５５ｄとに嵌る大きさを有している。ガイド部材５７は、第２の貫通孔５５ｂと第３の貫通孔５５ｄとに嵌ることによって、対向部５５に固定されている。
【００４８】
ガイド部材５７の一端は、例えば閉塞されている。この閉塞端５７ａは、例えば第２の貫通孔５５ｂの縁と面一になるように、第２の貫通孔５５ｂに嵌っている。閉塞端５７ａには、複数の吸気口５７ｂが形成されている。これら複数の吸気口５７ｂは、ガイド部材５７の内側と外側とを連通している。
【００４９】
ガイド部材５７の他端は、開放されている。この開放端５７ｃは、第２の貫通孔５５ｂと第１の貫通孔２６ｂとを通って、ファン装置３０のハウジング３２の開口端３２ｂに当接している。これにより、空気は、ガイド部材５７の内側を通って、ファン装置３０まで導かれる。
【００５０】
なお、第１の貫通孔２６ｂは、第２,３の貫通孔５５ｂ，５５ｄよりも若干大きい。そして、ガイド部材５７は、軸５３と同軸上に配置されている。それゆえ、ガイド部材５７は、第２の筐体５１の回動を支持する軸としても機能する。
【００５１】
つぎに、ファン装置３０の動作について説明する。
【００５２】
ポータブルコンピュータ１０の電源投入時、あるいはＣＰＵ２４などの温度が予め決定された値に達したときに、駆動部３３は、駆動する。駆動部３３が駆動することによって、回転軸３３ａに連結されている羽根車３１が回転する。
【００５３】
図６に示すように、羽根車３１が回転すると、ガイド部材５７の閉塞端５７ａに形成された吸気口５７ｂから、ガイド部材５７内に周囲の空気が吸い込まれる。ガイド部材５７内に吸い込まれた空気は、ガイド部材５７内を開放端５７ｃに向かって進み、ハウジング３２の開口端３２ｂから、ファン装置３０内に吸気される。
【００５４】
図２に示すように、ファン装置３０内に吸気された空気は、回転する各羽根３１ｂによって、周方向に押し出される。押し出された空気は、冷却風Ｆとしてハウジング３２の吐出口３２ａから、第１の筐体２１内に吐出される。
【００５５】
吐出された冷却風Ｆは、ＣＰＵ２４などの発熱体や放熱板２５に導かれ、熱を吸収する。これにより、ＣＰＵ２４などの発熱体は、冷却される。
【００５６】
このように構成される電子機器では、ファン装置３０は、ファン収容部２６内に収容されている。ファン収容部２６の高さは、第１の筐体２１の他の部位よりも高くなっている。そして、ファン収容部２６は、第１の筐体２１の後部略中央に形成されているので、幅方向Ｂに長く形成される。
【００５７】
さらに、ファン装置３０の羽根車３１は、同心円状に配置されるとともに幅方向Ｂに延びる複数の羽根３１ｂを備える構造である。それゆえ、羽根車３１は、径方向に小型化されても、回転軸Ｇ方向（幅方向Ｂと平行）に延びることによって、充分な機能を維持することができる。
【００５８】
以上のことより、ポータブルコンピュータ１０の薄形化に伴って、ファン装置３０が小型化（羽根車３１が径方向に小型化されること）されても、ファン装置３０の機能は充分に維持されるとともに、ファン装置３０がファン収容部２６内に収容されることによって、第１の筐体２１をより一層薄型化することができる。つまり、ポータブルコンピュータ１０は、効果的に薄形化される。
【００５９】
また、ファン収容部２６が第１の筐体２１に設けられることによって、ファン装置３０から吐出された冷却風Ｆは、直接、第１の筐体２１内に吐出されるようになる。それゆえ、ＣＰＵ２４などの発熱体に冷却風Ｆを送風しやすくなるので、ＣＰＵ２４などの発熱体は、効果的に冷却される。
【００６０】
また、対向部５５の左端壁５５ａに吸気口５７ｂを設けることによって、吸気口５７ｂからファン装置３０までの吸気通路を、略直線状に形成することができる。それゆえ、ファン装置３０は、比較的吸気しやすくなる。そして、対向部５５内にガイド部５６が形成されることによって、ファン装置３０は、効果的に吸気することができるようになる。
【００６１】
また、対向部５５は、第２の筐体５１において幅方向外側に形成されている。つまり、対向部５５内に吸気が流入することを阻害するものがない。それゆえ、ファン装置３０は、効果的に吸気することができる。
【００６２】
また、対向部５５内にガイド部材５７が設けられることによって、吸気は、より一層効果的にファン装置３０へ導かれる。また、ガイド部材５７は、第２の筐体５１の回動を支持する軸としても機能する。それゆえ、ガイド部材５７を、回動を支持する軸として利用することによって、ポータブルコンピュータ１０の構造を簡素化することができる。
【００６３】
また、羽根車３１は、幅方向Ｂに延びる複数の羽根３１ｂを備える構造である。それゆえ、各羽根３１ｂの長さを調整することによって、比較的簡単にファン装置３０の機能の調整を行うことができる。
【００６４】
また、ファン収容部２６内にバッテリ４０が収容されることによって、第１の筐体２１において、ファン収容部２６以外の部位を、バッテリ４０よりも薄くすることができるようになる。それゆえ、ポータブルコンピュータ１０を効果的に薄くすることができるようになる。
【００６５】
また、吸気口５７ｂが、ガイド部材５７に設けられている。ガイド部材５７は、第２の貫通孔５５ｂと第３の貫通孔５５ｄとに支持される。このとき、対向部５５には、第２の貫通孔５５ｂと第３の貫通孔５５ｄ以外にガイド部材５７を支持するための特別な支持部は、設けられていない。しかも、ガイド部材５７に吸気口５７ｂが設けられることによって、吸気口５７ｂが支持されると、吸気口５７ｂが外を向くようになっている。
【００６６】
つまり、対向部５５に第２,３の貫通孔５５ｂ,５５ｄを設けるだけで、ガイド部材５７を支持し、かつガイド部材５７に吸気口５７ｂを設ける。ガイド部材５７の支持部と吸気口５７ｂとを、対向部５５とガイド部材５７とに分けて設けることによって、対向部５５の構造を簡素にすることができる。
【００６７】
なお、本実施の形態では、ガイド部材５７は、閉塞端５７ａを有し、閉塞端５７ａに吸気口５７ｂが形成される構造である。しかし、これに限定されるものではない。ガイド部材５７は、両端が開放する円筒状でもよい。この場合、対向部５５の左端壁５５ａには、第２の貫通孔５５ｂを設けずに、ガイド部材５７に対応して吸気口５７ｂを形成してもよい。
【００６８】
つぎに、本発明の第２の実施形態に係るポータブルコンピュータ１０を、図８と図９とに基づいて説明する。
【００６９】
第２の実施形態では、第２の筐体５１において、対向部５５が設けられていた部位に、連結部５４が設けられていることが、第１の実施形態と相違している。つまり、第２の実施形態では、ファン収容部２６は、幅方向Ｂに一対の連結部５４に挟まれている。なお、第１の実施形態と同様な機能を有する構成は、同一の符号を付して説明を省略する。
【００７０】
図８は、第２の実施形態におけるファン装置３０の近傍を上方から見た状態を拡大して示す断面図である。図９は、図８に示されたＦ９−Ｆ９線に沿って示される断面図である。
【００７１】
図８と図９とに示すように、連結部５４とファン収容部２６とは、軸５３が幅方向Ｂに通されることによって、互いに回動可能に連結されている。連結部５４とファン収容部２６との連結構造を、第２の筐体５１の左端部に設けられる連結部５４とファン収容部２６との連結構造を代表して具体的に説明する。
【００７２】
連結部５４内には、軸５３の一端が回動自由に支持される支持部６０が設けられている。支持部６０は、例えば、基部６１と軸受部６２とを備えている。基部６１は、第２の筐体５１に固定されており、第２の筐体５１の周壁に沿って延びている。
【００７３】
軸受部６２は、基部６１においてファン収容部２６に対向する面に固定されている。軸受部６２は、軸５３の一端を回動自由に支持する。第２の筐体５１の左端部に設けられる連結部５４の右端壁５４ｅ（ファン収容部２６と対向する壁）には、軸５３が通る連通孔が形成されている。
【００７４】
軸５３の他端には、固定部６３が設けられている。固定部６３は、軸５３に対して回転しない。ファン収容部２６の左端壁２６ａには、軸５３が通る開口部６４が形成されている。開口部６４は、ファン収容部２６の内側と外側とを連通している。
【００７５】
図９に示すように、開口部６４の内面と軸５３の外面との間には、隙間Ｃが形成されている。ファン収容部２６と連結部５４との間（ファン収容部２６の左端面６５と連結部５４の右端面６６との間）には、隙間Ｄが形成されている。これにより、これら隙間Ｃ，Ｄを通って、ファン収容部２６内に周囲の空気が流れ込む。この隙間Ｃ，Ｄは、例えば１〜２ｍｍ程でよい。
【００７６】
第１の筐体２１の底壁２１ａにおいて、左端壁２６ａの近傍は、断面形状が上方に折れ曲がる略Ｌ字状に形成されており、軸５３の固定部６３が設置される固定座６７が形成されている。
【００７７】
固定部６３には、ねじ穴６３ａが形成されている。ねじ穴６３ａ内には、雌ねじが形成されている。固定座６７に固定部６３が設置された状態において、固定部６３と固定座６７とは、ねじ６８が固定座６７を通ってねじ穴６３ａと螺合することによって、締結される。
【００７８】
以上の連結構造によって、第１の筐体２１と第２の筐体５１とは、互いに回動自由に連結される。第２の実施形態において、第２の筐体５１の左端部に設けられる連結部５４は、本発明で言う、第２の取付部である。
【００７９】
このように構成されるポータブルコンピュータ１０では、ファン収容部２６において、連結部５４と対向する部位にファン装置３０が収容されても、隙間Ｃ,Ｄが設けられることによって、ファン装置３０は、充分に吸気することができる。それゆえ、第２の実施形態では、第１の実施形態と同様な効果を得ることができる。
【００８０】
なお、本実施形態では、第２の筐体５１の左端部に設けられる連結部５４について説明したが、第２の筐体５１の右端部に設けられる連結部５４の支持部６０も略同様に設けられる。
【００８１】
つぎに、本発明の第３の実施形態に係るポータブルコンピュータ１０を、図１０と図１１とに基づいて説明する。
【００８２】
第３の実施形態では、ファン装置３０の配置が第１の実施形態におけるファン装置３０の配置と相違する。また、第２の筐体５１において対向部５５が設けられていた部位に、連結部５４が設けられている。なお、第１の実施形態と同様な機能を有する構成は、同一の符号を付して説明を省略する。
【００８３】
図１０は、第３の実施形態に係るポータブルコンピュータ１０を後ろから見た斜視図である。図１１は、ファン装置３０の近傍を上方から見た状態を示す断面図である。
【００８４】
図１０と図１１とに示されるように、第３の実施形態では、ファン装置３０は、ファン収容部２６の例えば幅方向略中央に配置されている。
【００８５】
第１の筐体２１の後壁２１ｄにおいて、ファン装置３０の開口端３２ｂに面する部位には、吸気口７０が形成されている。吸気口７０は、後壁２１ｄの後面７６に開口している。吸気口７０は、ファン収容部２６の内側と外側とを連通している。図１１に示すように、吸気口７０とファン装置３０の開口端３２ｂとの間には、ガイド部７１が設けられている。
【００８６】
ガイド部７１は、吸気口７０とファン装置３０の開口端３２ｂとの間の空間を、例えば壁７２で覆うことによって構成されている。壁７２は、例えば第１の筐体２１と一体に形成されてもよい。ガイド部７１は、吸気口７０を通して空気をファン装置３０へ導く。
【００８７】
第３の実施形態のポータブルコンピュータ１０であっても、第１の実施形態と同様な効果を得ることができる。さらに、ガイド部７１によって、ファン装置３０は、効果的に吸気することができる。
【００８８】
つぎに、本発明の第４の実施形態に係るポータブルコンピュータ１０を、図１２と図１３とに基づいて説明する。第４の実施形態では、ガイド部７１の吸気口７０の位置が第３の実施形態の吸気口７０の位置と相違する。なお、第１の実施形態および第３の実施形態と同様な機能を有する構成は、同一の符号を付して説明を省略する。
【００８９】
図１２は、第４の実施形態に係るポータブルコンピュータ１０を後から見た斜視図である。図１３は、ポータブルコンピュータ１０が台７５上に置かれた状態において、ファン装置３０の近傍の上下方向に沿う断面図である。
【００９０】
図１２と図１３とに示されるように、第４の実施形態では、ファン装置３０は、ファン収容部２６の例えば幅方向略中央に配置されている。
【００９１】
第１の筐体２１の底壁２１ａにおいて、ファン装置３０の開口端３２ｂに面する部位には、吸気口７０が形成されている。吸気口７０は、ファン収容部２６の内側と外側とを連通している。
【００９２】
吸気口７０とファン装置３０の開口端３２ｂとの間には、ガイド部７１が設けられている。ガイド部７１は、吸気口７０と開口端３２ｂとの間の空間を、例えば壁７２で覆うことによって構成されている。壁７２は、例えば第１の筐体２１と一体に形成されてもよい。
【００９３】
第１の筐体２１の底壁２１ａの底面７３において、ファン収容部２６の下方に位置する部位には、一対の脚部７４が設けられている。脚部７４は、吸気口７０を挟んで１つづつ設けられている。
【００９４】
図１３に示すように、各脚部７４は、ポータブルコンピュータ１０を例えば台７５などの上に置いたときなどに、姿勢が安定するように考慮されて設けられている。
【００９５】
ポータブルコンピュータ１０を台７５の上に置いた状態では、一対の脚部７４によって、吸気口７０と台７５との間に空間Ｅが規定される。この空間Ｅによって、吸気口７０まで空気が導かれるようになる。それゆえ、底面７３に吸気口７０を形成した場合であっても、ファン装置３０は、充分に吸気をすることができる。
【００９６】
第４の実施形態では、ファン装置３０をファン収容部２６の幅方向略中央に配置し、かつ吸気口７０を第１の筐体２１の底壁２１ａに形成した場合であっても、第１の実施形態と、同様な効果を得ることができる。さらに、ガイド部７１によって、ファン装置３０は、効果的に吸気することができる。
【００９７】
なお、本実施形態では、脚部７４は、第１の筐体２１の底壁２１ａに形成された。しかし、これに限定されるものではない。脚部７４は、例えば、第１の筐体２１の左側壁２１ｅと右側壁２１ｆとに設けられてもよい。要するに、脚部７４は、底面７３の下方に空間Ｅが規定されるように設けられればよい。
【００９８】
つぎに、本発明の第５の実施形態に係るポータブルコンピュータ１０を、図１４に基づいて説明する。第５の実施形態では、ファン収容部２６の配置が第１の実施形態におけるファン収容部２６の配置と相違する。また、第２の筐体５１において、連結部５４の配置が第１の実施形態における連結部５４の位置と相違する。なお、本実施形態には、第２の筐体５１に対向部５５は形成されない。第１の実施形態と同様な機能を有する構成は、同一の符号を付して説明を省略する。
【００９９】
図１４は、第５の実施形態のポータブルコンピュータ１０を前から見た斜視図である。図１４に示すように、第５の実施形態では、ファン収容部２６は、第１の筐体２１の後端部の左端に形成されている。ファン収容部２６は、第１の筐体２１の後端部の左端から幅方向Ｂに内側に向かって所定の長さを有している。
【０１００】
本実施形態では、ファン収容部２６の左端壁２６ａは、外側に向いている。それゆえ、左端壁２６ａには、吸気口２６ｃが形成されている。ファン装置３０は、吸気口２６ｃを通して吸気する。
【０１０１】
第１の筐体２１の後端部の右端には、取付部８０が形成されている。取付部８０は、第１の筐体２１の後端部の右端から幅方向Ｂに内側に所定の長さを有している。
【０１０２】
第２の筐体５１には、ファン収容部２６と取付部８０との間に、連結部５４が形成されている。第１の筐体２１の取付部８０と第２の筐体５１の連結部５４とには、幅方向Ｂに軸５３が通されている。これによって、第１の筐体２１と第２の筐体５１とは、互いに回動自由に連結される。
【０１０３】
なお、第５の実施形態では、ファン収容部２６において、吸気口２６ｃからファン装置３０の開口端３２ｂまでの空間は、略直線状である。さらに、吸気口２６ｃから開口端３２ｂまでの間隔は、比較的短い。
【０１０４】
それゆえ、ファン収容部２６において、吸気口２６ｃからファン装置３０までの空間は、ファン装置３０へ外部の空気をガイドするガイド部として、充分に機能する。つまり、第５の実施形態において、ファン収容部２６は、ガイド部でもある。
【０１０５】
第５の実施形態のポータブルコンピュータ１０であっても、第１の実施形態と同様な効果を得ることができる。なお、第５の実施形態では、バッテリ４０は、例えば第２の筐体５１の連結部５４内に収容されている。
【図面の簡単な説明】
【０１０６】
【図１】本発明の第１の実施形態に係るポータブルコンピュータを前から見た斜視図。
【図２】図１に示されたＦ２−Ｆ２線に沿って示す断面図。
【図３】図１に示されたファン装置の分解斜視図。
【図４】図１にＦ４によって囲まれた範囲を拡大して示す斜視図。
【図５】図１に示されたポータブルコンピュータを後ろから見た斜視図。
【図６】図１に示されたＦ６−Ｆ６線に沿って示す断面図。
【図７】図６に示されたＦ７−Ｆ７線に沿って示す断面図。
【図８】本発明の第２の実施形態に係るポータブルコンピュータのファン装置の近傍を上から見た断面図。
【図９】図８に示されたＦ９−Ｆ９線に沿って示す断面図。
【図１０】本発明の第３の実施形態に係るポータブルコンピュータを後ろから見た斜視図。
【図１１】図１０に示されたポータブルコンピュータのファン装置の近傍を上から見た断面図。
【図１２】本発明の第４の実施形態に係るポータブルコンピュータを後ろから見た斜視図。
【図１３】図１２に示されたポータブルコンピュータが台に置かれた状態において、ファン装置の近傍の上下方向に沿う断面図。
【図１４】本発明の第５の実施形態に係るポータブルコンピュータを前から見た斜視図。
【符号の説明】
【０１０７】
１０…ポータブルコンピュータ（電子機器）、２１…第１の筐体、２１ａ…底壁、２１ｄ…後壁、２１ｅ…左側壁（側壁）、２４…ＣＰＵ（発熱体）、２６…ファン収容部、２６ａ…左端壁（側壁）、２６ｃ…吸気口、３０…ファン装置、３１ｂ…羽根、５１…第２の筐体、５４…連結部（第２の取付部）、５５…対向部（第２の取付部）、５６…ガイド部、５７…ガイド部材、６４…開口部、７０…吸気口、７１…ガイド部、Ｇ…回転軸、Ｂ…幅方向、Ｈ…同心円。
【図１】
2006156786.tif 000003
【図２】
2006156786.tif 000004
【図３】
2006156786.tif 000005
【図４】
2006156786.tif 000006
【図５】
2006156786.tif 000007
【図６】
2006156786.tif 000008
【図７】
2006156786.tif 000009
【図８】
2006156786.tif 000010
【図９】
2006156786.tif 000011
【図１０】
2006156786.tif 000012
【図１１】
2006156786.tif 000013
【図１２】
2006156786.tif 000014
【図１３】
2006156786.tif 000015
【図１４】
2006156786.tif 000016